(57)【要約】【課題】ディスク再生装置を備えた電子機器において無駄な消費電力を低減する。【解決手段】ディスク収納部に収納されたディスクを再生する再生装置８を備えた電子機器１において、再生装置８に対するディスクの再生指示を入力若しくは再生装置８を動作ソースとして選択するための入力をする操作手段４と、ディスク収納部に収納されたディスクの種類を判別する種類判別手段２と、操作手段４による入力がされたか否かを判別する操作入力判別手段２と、操作入力判別手段２による操作手段の入力の有無および種類判別手段２により判別されたディスクの種類に応じて再生装置１への電源供給を制御する電源供給制御手段１０を備えさせる。【選択図】        図１
2004220706.tif 000002
【特許請求の範囲】
【請求項１】
ディスク収納部に収納されたディスクを再生する再生装置を備えた電子機器において、
前記再生装置に対する前記ディスクの再生指示を入力若しくは再生装置を動作ソースとして選択するための入力をする操作手段と、
前記ディスク収納部に収納されたディスクの種類を判別する種類判別手段と、
前記操作手段による入力がされたか否かを判別する操作入力判別手段と、
前記操作入力判別手段による前記操作手段の入力の有無および前記種類判別手段により判別されたディスクの種類に応じて前記再生装置への電源供給を制御する電源供給制御手段と、
を備えたことを特徴とする電子機器。
【請求項２】
ディスク収納部にディスクが収納されると、これに伴って前記ディスクに記録されたディスク再生情報を取得し、このディスク再生情報に従ってディスクの再生準備動作またはディスクの再生動作を行う再生装置を備えた電子機器において、
前記再生装置に対する前記ディスクの再生指示を入力若しくは再生装置を動作ソースとして選択するための入力をする操作手段と、
前記再生装置が前記再生情報に基づく前記再生動作を行っているか否かを判別する再生動作判別手段と、
前記操作手段による入力がされたか否かを判別する操作入力判別手段と、
前記操作入力判別手段による前記操作手段の入力の有無および前記種類判別手段により判別されたディスクの種類に応じて前記再生装置への電源供給を制御する電源供給制御手段と、
を備えたことを特徴とする電子機器。
【請求項３】
請求項１または２に記載の電子機器において、
前記再生装置は、ＣＤおよびＤＶＤを再生可能なＣＤ／ＤＶＤコンパチブルプレーヤであり、
当該電子機器は、前記ＣＤ／ＤＶＤコンパチブルプレーヤおよび他の音声信号入力源を備えたオーディオ装置であることを特徴とする電子機器。
【発明の詳細な説明】
【０００１】
【発明の属する技術分野】
本発明は、複数の種類のディスクを再生可能な再生装置を備えた電子機器に関する。
【０００２】
【従来の技術】
音楽データや映像データのコンテンツを記録するＣＤ（Ｃｏｍｐａｃｔ    Ｄｉｓｃ）やＤＶＤ（Ｄｉｇｉｔａｌ    Ｖｅｒｓａｔｉｌｅ  Ｄｉｓｃ）等の光ディスクの内周トラックには、ＴＯＣ情報が記録されている。ＴＯＣ情報にはコンテンツが記録されたトラック数、各トラックの記録時間、各トラックに記録されるデータの種類、各トラックのスタートアドレス、エンドアドレス等の各種基本情報が含まれる。ＣＤやＤＶＤ等の再生装置は、これらの再生に際してまずＴＯＣ情報を読み取り、ディスク再生指示を待つ待機状態に移行する。ＴＯＣ情報の読み取り動作は、ディスクトレイにディスクが挿入された場合、あるいはディスクが既に挿入された状態で電源が投入された場合に自動的に行われる。これは後に入力されるユーザから再生指示に応じて速やかにディスク再生動作に移行するためである。ところで、ＤＶＤの中には、ＴＯＣ情報に再生指令情報を含むものもある。ＴＯＣ情報に再生指令情報が含まれる場合、再生装置はその再生指令情報に従って所定のアドレスに記録されたコンテンツを再生する。
【０００３】
ＤＶＤ再生装置は、近年、ＣＤも再生可能なＣＤ／ＤＶＤコンパチブルプレーヤとして構成される場合が多い。ＣＤは主として１チャンネルまたは２チャンネルの音声信号を記録し、ＤＶＤは１〜６チャンネルの音声信号および映像データを記録している。このため、再生する光ディスクの種類、ＴＯＣ情報などに基づいて、必要のない音声処理系等あるいは映像処理系等の動作を停止させ省電力を図るようにしたＣＤ／ＤＶＤコンパチブルプレーヤが知られている（例えば、特許文献１参照。）。また、近年、このようなＣＤ／ＤＶＤコンパチブルプレーヤを搭載したオーディオ装置やパーソナルコンピュータ等の各種電子機器も普及し始めている。
【０００４】
【特許文献１】
特開２０００−２０７８１７号公報
【０００５】
【発明が解決しようとする課題】
しかしながら、上記従来のＣＤ／ＤＶＤコンパチブルプレーヤ（特許文献１）においては、ディスク挿入時または電源投入時、ディスクがＣＤであってもＤＶＤであっても必ずＴＯＣ情報読み取り動作を行っていた。このため、ディスクがＤＶＤであって、ＴＯＣ情報に再生指令情報が含まれる場合は、その後のユーザの再生指示の有無によらず、所定のコンテンツが必ず再生されていた。
【０００６】
例えば、上記ＣＤ／ＤＶＤコンパチブルプレーヤを備えるオーディオ装置の場合、他に、ＭＤ（Ｍｉｎｉ  Ｄｉｓｃ）プレーヤ、ＴＵＮＥＲ等複数の音声出力源と、これらの音声出力源から供給される音声信号の中からユーザの指示に応じて一つを選択してスピーカに出力するセレクタが備えられる。セレクタがＴＵＮＥＲを選択している場合、ディスク挿入等によりＴＯＣ情報に含まれる再生指令情報に従ってＣＤ／ＤＶＤコンパチブルプレーヤがＤＶＤに記録された音声信号や画像データの再生動作を行っても再生された音声信号等は外部には出力されない。その後、ユーザの再生指示が入力されると、セレクタが切り替わり、ＣＤ／ＤＶＤコンパチブルプレーヤからの音声信号等が出力されるが、既にＤＶＤの再生動作が進行している場合、改めて再生動作を最初から行わせなければならず、ＤＶＤのＴＯＣ情報に基づく再生動作は無駄な電力消費となっていた。
【０００７】
本発明の課題は、無駄な消費電力を低減することのできるディスク再生装置を備えた電子機器を提供することである。
【０００８】
【課題を解決するための手段】
上記課題を解決するために、請求項１記載の発明は、ディスク収納部に収納されたディスクを再生する再生装置を備えた電子機器において、
前記再生装置に対する前記ディスクの再生指示を入力若しくは再生装置を動作ソースとして選択するための入力をする操作手段と、
前記ディスク収納部に収納されたディスクの種類を判別する種類判別手段と、
前記操作手段による入力がされたか否かを判別する操作入力判別手段と、
前記操作入力判別手段による前記操作手段の入力の有無および前記種類判別手段により判別されたディスクの種類に応じて前記再生装置への電源供給を制御する電源供給制御手段と、
を備えたことを特徴とする。
【０００９】
請求項２記載の発明は、ディスク収納部にディスクが収納されると、これに伴って前記ディスクに記録されたディスク再生情報を取得し、このディスク再生情報に従ってディスクの再生準備動作またはディスクの再生動作を行う再生装置を備えた電子機器において、
前記再生装置に対する前記ディスクの再生指示を入力若しくは再生装置を動作ソースとして選択するための入力をする操作手段と、
前記再生装置が前記再生情報に基づく前記再生動作を行っているか否かを判別する再生動作判別手段と、
前記操作手段による入力がされたか否かを判別する操作入力判別手段と、
前記操作入力判別手段による前記操作手段の入力の有無および前記種類判別手段により判別されたディスクの種類に応じて前記再生装置への電源供給を制御する電源供給制御手段と、
を備えたことを特徴とする。
【００１０】
請求項３に記載の発明は、請求項１または２に記載の電子機器において、
前記再生装置は、ＣＤおよびＤＶＤを再生可能なＣＤ／ＤＶＤコンパチブルプレーヤであり、
当該電子機器は、前記ＣＤ／ＤＶＤコンパチブルプレーヤおよび他の音声信号入力源を備えたオーディオ装置であることを特徴とする。
【００１１】
【発明の実施の形態】
以下、図を参照して本発明の実施の形態を説明する。
図１に、本実施の形態における電子機器としてのオーディオ装置１の主要部の機能的構成を示す。オーディオ装置１は、図１に示す、主幹電源回路基板２、メインマイコン部３、操作部４、ＡＭＰ（Ａｍｐｌｉｆｉｅｒ；アンプ）５、ＴＵＮＥＲ部６、ＭＤ部７、ＤＶＤ／ＣＤ部８、ＤＶＤ／ＣＤトレイ制御部９、ＤＶＤ／ＣＤ電源制御部１０等を備えて構成される。これらは同一の筐体内に納められる。また、これら各部はシステムバス１１により互いに接続されている。
【００１２】
主幹電源回路基板２は、電源供給ライン１２を介して、ＤＶＤ／ＣＤ部８を除く各部に電力を供給する。
【００１３】
メインマイコン部３は、ＣＰＵ（Ｃｅｎｔｒａｌ    Ｐｒｏｃｅｓｓｉｎｇ    Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等を備えて構成される。メインマイコン部３は、ＣＰＵにおいて、ＲＡＭの所定領域を作業領域としてＲＯＭに記憶されている各種制御プログラムに従い、各部に制御信号を送って電子機器の動作全般を制御するとともに、後述するＤＶＤ／ＣＤ部８に関する電源制御処理を実行する。
【００１４】
操作部４は、ＴＵＮＥＲ部６、ＭＤ部７、ＤＶＤ／ＣＤ部８の中から再生または録音を行うソース（ＴＵＮＥＲ部６、ＭＤ部７、ＤＶＤ／ＣＤ部８）を選択するための選択キーの他、再生キー、停止キー、サーチキー等の各種入力キーを備え、各キーが押下された押下信号をメインマイコン部３に供給する。また、上述の各キーを備えるリモコンを更に備えることにしてもよい。
【００１５】
この操作部４を介して、ユーザにより動作させるソースの選択、各ソースに対する再生指示または録音指示等、各種の指示が入力される。
【００１６】
ＡＭＰ５はセレクタ５ａを備え、スピーカ５ｂと接続されている。
セレクタ５ａの入力端子は、ＴＵＮＥＲ部６、ＭＤ部７、ＤＶＤ／ＣＤ部８の各音声出力端子と接続されている。セレクタ５ａは、操作部４の選択キーの押下信号に基づいて、ＴＵＮＥＲ部６、ＭＤ部７、ＤＶＤ／ＣＤ部８のいずれかのソースを選択する。
【００１７】
ＡＭＰ５はセレクタ５ａにより選択されたソースから供給される音声信号を増幅し、スピーカ５ｂに出力する。
【００１８】
ＴＵＮＥＲ部６はアンテナ６ａを備え、アンテナ６ａを介して入力されるＦＭ放送用電波またはテレビ放送用電波等の中から、操作部４によって指定されたチャンネルの放送電波を抽出し、システムマイコン部から入力される制御信号に従って、放送内容である音声信号をシステムバス１１およびセレクタ５ａを介してＡＭＰ５に出力する。
【００１９】
ＭＤ部７は、ＡＴＲＡＣ（Ａｄｖａｎｃｅｄ  ＴＲａｎｓｆｏｒｍ    Ａｃｏｕｓｔｉｃ    Ｃｏｄｉｎｇ）、ＡＴＲＡＣ３−ＬＰ２、ＡＴＲＡＣ３−ＬＰ４等の音声圧縮技術を利用してＭＤへの音声信号を符号化して録音したり、ＭＤに符号化されて記録された音声信号を復号化して再生したりする。
【００２０】
ＤＶＤ／ＣＤ部８は、ＤＶＤまたはＣＤ等のＤＶＤ規格またはＣＤ規格に準拠するディスクを再生する装置である。ＤＶＤ／ＣＤ部８は、筐体に収容され、筐体から引き出し可能に設けられるディスクトレイ（図示略）を備えている。ディスクトレイはディスクを載置可能に構成されており、ディスクを筐体外部から筐体内部のディスク再生位置まで搬送する。以下、ディスクトレイが筐体から引き出されることをオープン、筐体に収容されることをクローズという。
【００２１】
なお、ＤＶＤ規格またはＣＤ規格に準拠する光ディスクとは、一層型ＤＶＤ、二層型ＤＶＤ等、音楽ＣＤ、ＣＤ−ＲＯＭ、ビデオＣＤ、ＣＤ−Ｒ（ＣＤ−Ｒｅｃｏｒｄａｂｌｅ）、ＣＤ−ＲＷ（ＣＤ−ＲｅＷｒｉｔｂｌｅ）等を含む。
【００２２】
ＤＶＤ、ＣＤのデータ記録面の内周トラックには、ＴＯＣ情報が記録されている。ＤＶＤ／ＣＤ部８はこのＴＯＣ情報を読み取ることにより、コンテンツが記録されたトラック数、各トラックの記録時間、各トラックに記録されるデータの種類、各トラックのスタートアドレス、エンドアドレス等のディスクを再生するために必要な各種基本情報を取得するとともに、ディスクがＤＶＤであるかＣＤであるかを判別することができる。
【００２３】
ＤＶＤ／ＣＤトレイ制御部９は、メインマイコン部３からの制御信号に基づき、ディスクトレイをオープンまたはクローズさせる。
【００２４】
ＤＶＤ／ＣＤ電源制御部１０は、例えば接点リレー等を含んで構成され、メインマイコン部３からの制御信号に基づき、ＣＤ／ＤＶＤ部８に供給する電源をＯＮ／ＯＦＦ制御する。
【００２５】
次に、図２を参照して、ＤＶＤ／ＣＤ部８に関する電源制御処理を説明する。電源制御処理はメインマイコン部３によりＲＯＭに記憶された電源制御処理プログラムに基づいて実行される。
【００２６】
まず、ＤＶＤ／ＣＤトレイ制御部９によってＤＶＤ／ＣＤ部８のディスクトレイがオープンされているか否かが判別される（ステップＳ１）。
【００２７】
ディスクトレイがオープンされていると判別された場合（ステップＳ１：Ｙ）、現在、ＤＶＤ／ＣＤ電源制御部１０によりＤＶＤ／ＣＤ部８に電源が供給されているか否かが判別される（ステップＳ２）。ここで、ＤＶＤ／ＣＤ部８に電源が供給されていると判別された場合（ステップＳ２：Ｙ）、ＤＶＤ／ＣＤ電源制御部１０によりＤＶＤ／ＣＤ部８への電源供給をＯＦＦさせ（ステップＳ３）、再びステップＳ１に戻る。なお、ＤＶＤ／ＣＤ部８に電源が供給されていない場合（ステップＳ２：Ｎ）もステップＳ１に戻る。
【００２８】
ディスクトレイがクローズされていると判別された場合（ステップＳ１：Ｎ）、ディスクトレイ内にディスクが収容されているか否かが判別される（ステップＳ４）。ディスクが収容されていない場合（ステップＳ４：Ｎ）、再びステップＳ１に戻る。
【００２９】
次に、ディスクトレイにディスクが収容されていると判別された場合（ステップＳ４：Ｙ）、ディスクが既知か否かが判別される。なお、ディスクが既知であるとは、ＤＶＤ／ＣＤ部８により既にディスクに記録されたＴＯＣ情報が読み出されており、ディスクの種類が既知であることをいう。
【００３０】
ディスクが既知でない場合（ステップＳ５：Ｎ）、ＤＶＤ／ＣＤ電源制御部１０によりＤＶＤ／ＣＤ部８に電源を供給させる（ステップＳ６）。なお、図示していないが、予め、ＤＶＤ／ＣＤ部８に電源が供給されている場合、この動作は行わない。
【００３１】
次に、ディスクに記録されたＴＯＣ情報を読み取るためのＲＥＡＤＩＮＧ動作を行わせ（ステップＳ７）、ステップＳ５に戻る。
【００３２】
次に、ディスクがＤＶＤであるか否かを判別する（ステップＳ８）。ディスクが、ＤＶＤである場合（ステップＳ８：Ｙ）、次にセレクタ５ａがＤＶＤ／ＣＤ部８を選択しているか、あるいはユーザにより再生キーが押下される等の操作部４の操作によりＤＶＤに対する再生指示が入力されたか否かが判別される（ステップＳ９）。
【００３３】
セレクタ５ａがＤＶＤ／ＣＤ部８以外のソースを選択している場合（ステップＳ９：Ｎ）、ＤＶＤ／ＣＤ電源制御部１０によりＤＶＤ／ＣＤ部８の電源をＯＦＦさせる（ステップＳ１０）。なお、セレクタ５ａがＤＶＤ／ＣＤ部８を選択しているという状態は、ユーザにより操作部４からＤＶＤの再生指示が入力されていることを示す。
【００３４】
セレクタ５ａがＤＶＤ／ＣＤ部８を選択している場合（ステップＳ９：Ｙ）、ＤＶＤに記録されたＴＯＣ情報に基づいて、ディスク再生処理が行なわれる（ステップＳ１１）。
【００３５】
一方、ディスクがＣＤである場合（ステップＳ８：Ｎ）、操作部４からの再生指示の入力を待つ再生待機状態（再生準備状態）に移行する（ステップＳ１２）。
【００３６】
なお、ＤＶＤ／ＣＤ部８以外の各部については、主幹電源回路基板２から所定の駆動電圧の電力が常に供給されるものとしてもよいし、例えば、セレクタ５ａが選択しているソース以外のソースに供給する電源をＯＦＦするようにしてもよい。但し、ＭＤ部７は録音装置としても機能するため、他のソース（ＤＶＤ／ＣＤ部８、ＴＵＮＥＲ部６）をセレクタ５ａが選択している場合であっても、ＭＤ部７が使用される可能性がある。このため、ＭＤ部７に対する電源供給は常に行うことが望ましい。
【００３７】
以上説明したオーディオ装置１によれば、ＤＶＤ／ＣＤ部８のディスクトレインに収容されたディスクがＤＶＤであって、セレクタ５ａがＤＶＤ／ＣＤ部８を選択していない場合、または、ＤＶＤに対するユーザの再生指示がない場合、ステップＳ１０に示すように、ＤＶＤ／ＣＤ部８に供給する電源をＤＶＤ／ＣＤ部電源制御部１０により遮断するので、ＴＯＣ情報に含まれる再生指令情報に基づくＤＶＤ／ＣＤ部８のディスク再生動作を遮断することができ、無駄な消費電力を低減することができる。
【００３８】
ステップＳ１１に示すように、セレクタ５ａがＤＶＤ／ＣＤ部８を選択している場合にはＤＶＤの再生処理動作を行い、ステップＳ１２に示すようにディスクがＣＤの場合には再生待機状態となるように制御するので、オーディオ装置１の基本的な機能を損なわせることがない。
【００３９】
なお、本発明は上記実施の形態に限定されるものではなく、本発明の主旨を逸脱しない範囲において適宜変更可能であるのは勿論である。例えば、本発明の電子機器は、上述したオーディオ装置１に限定されるものではなく、オーディオ装置に備えられる他のソースはどのようなものであってもよい。また、本発明の電子機器は、複数の種類のディスクを再生可能な再生装置を備えた電子機器であればよく、その再生装置が再生するディスクの種類とディスクに対するユーザの再生指示の有無に応じて再生装置に対する電源制御を行えるようになっていればそれでよい。
【００４０】
【発明の効果】
本発明によれば、ユーザによるディスク再生指令の有無とディスクの種類に応じて再生装置に供給する電源を制御するので、電子機器における無駄な消費電力を低減することができる。
【図面の簡単な説明】
【図１】本発明の一例の電子機器の機能的構成を示すブロック図である。
【図２】図１に示すメインマイコン部により実行される電源制御処理を示したフローチャートである。
【符号の説明】
１    オーディオ装置
２    主幹電源回路基板
３    メインマイコン部
４    操作部
５    ＡＭＰ
５ａ  セレクタ
５ｂ  スピーカ
６    ＴＵＮＥＲ部
６ａ  アンテナ
７    ＭＤ部
８    ＤＶＤ／ＣＤ部
９    ＤＶＤ／ＣＤトレイ制御部
１０  ＤＶＤ／ＣＤ電源制御部
１１  システムバス
１２  電源供給ライン
【図１】
2004220706.tif 000003
【図２】
2004220706.tif 000004